(57)【要約】  液体洗剤組成物の直接適用により食器を手洗いするための要件について開示する。液体洗剤組成物は、平均アルコキシル化度が１〜４であるアルコキシル化分枝状非イオン性界面活性剤を０．１重量％〜５重量％含む。方法は、未希釈の形態の前記組成物と食器とを接触させる工程を含む。【特許請求の範囲】
【請求項１】
平均アルコキシル化度が１〜４０であるアルコキシル化分枝状非イオン性界面活性剤を、組成物の０．１重量％〜５重量％含む液体洗剤組成物を用いて、食器を手洗いする方法であって、
未希釈の形態の前記液体洗剤組成物と食器とを接触させる工程を含む方法。
【請求項２】
前記未希釈の形態の液体洗剤組成物を、ブラシ、スポンジ、不織布材料、又は織布材料等の洗浄装置又は用具を用いて前記食器と接触させる、請求項１に記載の方法。
【請求項３】
前記液体洗剤組成物が、組成物の０．２重量％〜３重量％、好ましくは０．５重量％〜２重量％の濃度で存在する前記分枝状非イオン性界面活性剤を含む、請求項１又は２に記載の方法。
【請求項４】
前記液体洗剤組成物が、エトキシル化及び／又はプロポキシル化されている、好ましくはエトキシル化されている前記非イオン性界面活性剤を含む、請求項１〜３のいずれか一項に記載の方法。
【請求項５】
前記液体洗剤組成物が、以下から選択される分枝状非イオン性界面活性剤を含む、請求項１〜４のいずれか一項に記載の方法：
ａ．式Ｉ：
【化１】
2013536281.tif 000008
（式Ｉ中、
Ｒ１は、Ｃ５〜Ｃ１６直鎖又は分枝状のアルキル鎖、好ましくは直鎖のアルキル鎖であり、
Ｒ２は、Ｃ１〜Ｃ８直鎖又は分枝状のアルキル鎖、好ましく直鎖のアルキル鎖であり、
Ｒ３は、Ｈ又はＣ１〜Ｃ４アルキル、好ましくはＨ又はメチルであり、
ｂは、１〜４０、好ましくは５〜２０、より好ましくは７〜１２の数字である）
ｂ．式ＩＩ：
【化２】
2013536281.tif 000009
（式ＩＩ中、
Ｒ１は、Ｃ６〜Ｃ１６直鎖又は分枝状のアルキル鎖、好ましくは直鎖のアルキル鎖であり、
Ｒ２は、Ｃ１〜Ｃ８直鎖又は分枝状のアルキル鎖、好ましく直鎖のアルキル鎖であり、
Ｒ３は、Ｈ又はＣ１〜Ｃ４アルキル、好ましくはＨ又はメチルであり、
ｂは、１〜４０、好ましくは５〜２０、より好ましくは７〜１２の数字である）、
ｃ．これらの混合物。
【請求項６】
前記非イオン性界面活性剤が、８〜２４、好ましくは９〜１８、最も好ましくは１０〜１４個の炭素原子を有する、請求項１〜５のいずれか一項に記載の方法。
【請求項７】
前記液体洗剤組成物が、更に、エトキシル化アニオン性界面活性剤を含み、前記分枝状非イオン性が、前記エトキシル化アニオン性界面活性剤のエトキシル化度よりも高いアルコキシル化度を有する、請求項１〜６のいずれか一項に記載の方法。
【請求項８】
前記液体洗剤組成物が、平均エトキシル化度が０．８〜４、好ましくは１〜２であるエトキシル化アニオン性界面活性剤を２重量％〜７０重量％、好ましくは５重量％〜３０重量％含み、前記エトキシル化アニオン性界面活性剤のうちの少なくとも８０重量％が直鎖である、請求項７に記載の方法。
【請求項９】
前記エトキシル化アニオン性界面活性剤が、飽和Ｃ8〜Ｃ16アルキルエトキシサルフェート、好ましくは飽和Ｃ12〜Ｃ14アルキルエトキシサルフェートである、請求項７又は８に記載の方法。
【請求項１０】
前記エトキシル化アニオン性界面活性剤が、天然源のアルコールに由来する、請求項７〜９のいずれか一項に記載の方法。
【請求項１１】
平均アルコキシル化度が１〜４０であるアルコキシル化分枝状非イオン性界面活性剤を組成物の０．１重量％〜５重量％含む液体洗剤組成物の使用であって、
直接適用食器手洗い法中に持続性の泡プロファイルを提供するための使用。
【発明の詳細な説明】
【技術分野】
【０００１】
本発明は、食器に直接、又はスポンジを介して未希釈の液体洗剤組成物を適用することにより、食器を手洗いする方法に関する。分枝状エトキシル化非イオン性界面活性剤の存在により、液体洗剤組成物は、直接適用法において長時間使用される間、耐久性のある泡を用いて効果的にグリースを洗浄する。
【背景技術】
【０００２】
一部の消費者は、希釈された液体洗剤組成物に食器を浸漬することにより食器を洗うことを好むが、多くの消費者は、食器に直接又はスポンジ等の用具を介して未希釈の液体洗剤組成物を適用することを好む。直接適用では、より高濃度の界面活性剤が付着物に直接適用されるので、グリースの洗浄が改善される。直接適用法の場合、消費者は、持続性のグリースの洗浄及び持続性の起泡を望む。既に、界面活性剤濃度を高めることにより、このような「耐久力」は延長されている。しかし、界面活性剤濃度を上げると、希釈された液体洗剤組成物については実際に起泡プロファイルが改善されるが、より高濃度の界面活性剤は、直接適用食器洗い中の初期起泡を低下させる。更に、このような液体洗剤組成物は、望ましい濃く、粘稠な外観をそれほど有しない。
【０００３】
国際公開第９５３３０２５号、米国特許第５９６８８８８号、及び米国特許出願公開第２００５／０１７０９９０  Ａ１号は、未希釈の形態の液体洗剤組成物と食器とを接触させる工程を含む、食器を手洗いする方法を開示している。米国特許出願公開第２００７／０１２３４４７  Ａ１号、国際公開第２００６／０４１７４０  Ａ１号、米国特許第６，００８，１８１号は、分枝状界面活性剤を含む食器洗い組成物を開示している。
【先行技術文献】
【特許文献】
【０００４】
【特許文献１】国際公開第９５３３０２５号
【特許文献２】米国特許第５９６８８８８号
【特許文献３】米国特許出願公開第２００５／０１７０９９０  Ａ１号
【特許文献４】米国特許出願公開第２００７／０１２３４４７  Ａ１号
【特許文献５】国際公開第２００６／０４１７４０  Ａ１号
【特許文献６】米国特許第６，００８，１８１号
【発明の概要】
【発明が解決しようとする課題】
【０００５】
したがって、グリースの洗浄に優れ、優れた初期起泡及び持続性の泡をもたらす、容易に注ぎうる液体洗剤組成物を直接適用することにより食器を手洗いする方法が依然として必要とされている。
【０００６】
驚くべきことに、非常に少量の分枝状アルコキシル化非イオン性界面活性剤を含む液体食器手洗い洗剤組成物は、容易に注ぐことが可能であると同時に、直接適用法において用いられたとき、優れた持続性の泡及び優れたグリースの洗浄を提供することが見出された。
【課題を解決するための手段】
【０００７】
本発明によれば、平均アルコキシル化度が１〜４０であるアルコキシル化分枝状非イオン性界面活性剤を０．１〜５重量％含む液体洗剤組成物を用いて食器を手洗いする方法であって、未希釈の形態の前記液体洗剤組成物と食器とを接触させる工程を含む方法を提供する。また、本発明は、直接適用食器手洗い方法中に持続性の泡プロファイルを提供するための、平均アルコキシル化度が１〜４０であるアルコキシル化分枝状非イオン性界面活性剤を０．１〜５重量％含む液体洗剤組成物の使用を提供する。
【発明を実施するための形態】
【０００８】
本明細書で使用するとき、「液体食器手洗い洗剤組成物」とは、手作業による（すなわち、手による）食器の洗浄に使用される組成物を指す。このような組成物は、一般的には、起泡性又は発泡性が本質的に高い。本明細書で使用するとき、「洗浄」は、汚れ、グリース、付着物等の望ましくない残留物を除去する、及び／又は消毒するために、液体食器手洗い洗剤組成物を表面に適用することを意味する。
【０００９】
本明細書で使用するとき、「食器」、「食器類」及び「皿類」とは、セラミック、陶器、金属、ガラス、プラスチック（ポリエチレン、ポリプロピレン、ポリスチレンなど）、及び木で作製された、皿、グラス、深鍋、鍋、耐熱皿、及び平皿などの表面を意味する。
【００１０】
本明細書で使用するとき、「グリース」は、少なくとも一部（すなわち、グリースの少なくとも０．５重量％）に、飽和及び不飽和の脂肪及び油脂、好ましくは牛肉及び／又は鶏肉のような動物性原料に由来する油脂及び脂肪を含む物質を意味する。
【００１１】
本明細書で使用するとき、「泡プロファイル」は、液体洗剤組成物の液体洗剤組成物の使用によりもたらされる、洗浄プロセス全体を通じた起泡の量（多い又は少ない）及び起泡の一貫性（泡がどれくらい長持ち又は持続するか）を意味する。本明細書で使用するとき、「高起泡性」又は「持続性の泡」は、ともに、多量の泡（すなわち、消費者に許容されると考えられる泡の量）を発生させ、且つ前記泡の量が食器洗い作業中に維持される液体食器手洗い洗剤組成物を指す。このことは、消費者が、高い起泡性を洗剤組成物の性能の指標として知覚することから、液体洗剤組成物に関して特に重要である。更に、消費者は、洗浄液がまだ活性洗剤成分を含有している指標としても、起泡プロファイルを使用する。消費者は、通常、泡が少なくなり始めたときに更に液体食器手洗い洗剤組成物を適用する。したがって、低起泡性の液体食器洗い洗剤組成物の製剤は、必要以上に頻繁に消費者によって使用される傾向がある。
【００１２】
「未希釈の形態で」とは、前記組成物が、適用（直）前にユーザーにより著しく希釈されることなく、処理される表面上、又はブラシ、スポンジ、不織布材料、若しくは織布材料等の洗浄装置若しくは用具上に直接適用されることを意味する。また、「未希釈の形態で」は、例えば、洗浄装置上に水が存在していたり、又はボトルから組成物の残量を除去するために消費者が水を添加したりすることにより、僅かに希釈されたものも含む。したがって、未希釈の形態の組成物は、ユーザーの癖及び洗浄作業によって、５０：５０〜１００：０、好ましくは７０：３０〜１００：０、より好ましくは８０：２０〜１００：０、更により好ましくは９０：１０〜１００：０の比で組成物及び水を有する混合物を含む。誤解を避けるために、１００：０の比が最も好ましい。
【００１３】
「希釈された形態」とは、本明細書では、ユーザーにより典型的は水で希釈された前記組成物を意味する。「すすぐ」とは、本明細書では、前記食器上に液体組成物を適用する工程の後、組成物で洗浄された食器と相当量の水とを接触させることを意味する。「相当量」とは、通常は、１〜２０リットルを意味する。
【００１４】
本明細書で用いられる全てのパーセント、比、及び割合は、液体食器手洗い洗剤組成物の重量パーセントによるものである。全ての平均値は、特に明記しない限り、液体食器手洗い洗剤組成物の「重量」により計算される。
【００１５】
食器を手洗いする方法及び食器を手洗いするための使用
液体食器手洗い洗剤組成物を用いて、汚れ又はグリースの量及び種類、並びに消費者の嗜好に応じて様々な方法により食器を洗浄することができる。
【００１６】
本発明は、未希釈の形態の前記組成物と食器とを接触させる工程を含む、未希釈の液体洗剤組成物を適用する方法を提供する。前記組成物は、容器から食器に直接かけることができる。あるいは、まず、ブラシ、スポンジ、不織布材料、又は織布材料等の洗浄装置又は用具に組成物を適用してもよい。次いで、洗浄装置又は用具、ひいては未希釈の形態の液体食器洗い組成物を、汚れた食器のそれぞれの表面と直接接触させて、前記汚れを除去する。洗浄装置又は用具は、典型的に、１〜１０秒間の範囲の期間それぞれの食器表面と接触するが、実際の適用時間は、食器の汚れの程度などの要因に依存する。前記洗浄装置又は用具と食器表面との接触は、磨き洗いとともに行うことが好ましい。あるいは、洗浄装置を収容できる小さな容器内で、装置又は用具を未希釈の形態の液体食器手洗い洗剤組成物に浸漬してもよい。
【００１７】
前記組成物の適用前に、汚れた食器を水浴に浸漬するか又は流水下で保持して、食器表面を濡らしてもよい。
【００１８】
方法は、液体洗剤組成物と食器とを接触させる工程の後、任意のすすぎ工程を含んでもよい。
【００１９】
また、本発明は、直接適用食器手洗い方法中に持続性の泡プロファイルを提供するための、平均アルコキシル化度が１〜４０である分枝状非イオン性界面活性剤を０．１〜５重量％含む液体洗剤組成物の使用を提供する。
【００２０】
液体食器手洗い洗剤組成物
本発明の方法で用いられる液体食器手洗い洗剤組成物は、優れたグリース洗浄性と合わせて持続性の泡、並びに任意で汚れ除去、輝き、及びハンドケア等の他の効果を提供するように配合される。本発明の組成物は、少なくとも１つの分枝状、非イオン性、アルコキシル化界面活性剤を含む。
【００２１】
本明細書における組成物は、更に、他の必須及び任意成分が溶解、分散、又は懸濁している、水を含む水性液体キャリアを３０重量％〜８０重量％含んでもよい。より好ましくは、本発明で用いられる組成物は、４５％〜７０％、より好ましくは４５％〜６５％の水性液体キャリアを含む。適切な任意成分としては、エトキシル化アニオン性界面活性剤、他のアニオン性界面活性剤、他の非イオン性界面活性剤、両性／双極性界面活性剤、カチオン性界面活性剤、及びこれらの混合物から選択される更なる界面活性剤；洗浄ポリマー；カチオン性ポリマー；酵素；保湿剤；塩；溶媒；ヒドロトロープ；高分子泡安定化剤；ジアミン；カルボン酸；パールエッセンス剤；キレート剤；ｐＨ緩衝剤；香料；染料；乳白剤；及びこれらの混合物が挙げられる。
【００２２】
しかし、水性液体キャリアは、室温（２０℃〜２５℃）で液体であるか又は液体キャリアに溶解し、且つ不活性充填剤の機能に加えて他の幾つかの機能も有し得る他の物質を含有してもよい。
【００２３】
液体洗剤組成物は、いかなる好適なｐＨを有してもよい。好ましくは、組成物のｐＨは、４〜１４に調整される。より好ましくは、組成物は、６〜１３、最も好ましくは６〜１０のｐＨを有する。組成物のｐＨは、当該技術分野において既知のｐＨ修正成分を使用して調整することができる。
【００２４】
本発明の液体洗剤組成物は、好ましくは、澄んでいるか又は透明である。つまり、液体洗剤組成物は、５ＮＴＵから３０００ＮＴＵ未満、好ましくは１０００ＮＴＵ未満、より好ましくは５００ＮＴＵ未満、最も好ましくは１００ＮＴＵ未満の濁度を有する。
【００２５】
アルコキシル化分枝状非イオン性界面活性剤
本発明の方法で用いられる液体食器手洗い洗剤組成物は、０．１重量％〜５重量％、好ましくは０．２重量％〜３重量％、より好ましくは０．５重量％〜２重量％のアルコキシル化分枝状非イオン性界面活性剤を含む。前記アルコキシル化分枝状非イオン性界面活性剤は、１〜４０、好ましくは３〜２０、より好ましくは７〜１２の平均アルコキシル化度を有する。平均アルコキシル化度は、本発明のアルコキシル化分枝状非イオン性界面活性剤１モル当たりのアルキルオキシドのモル数の平均として定義される。好ましくは、分枝状非イオン性は、エトキシル化及び／又はプロポキシル化されている、より好ましくはエトキシル化される。
【００２６】
非エトキシル化分枝状非イオン性界面活性剤を本組成物のエトキシル化アニオン性界面活性剤と併用すると、液体洗剤組成物の起泡性能が制限されることが見出されている。したがって、組成物は、１０重量％未満、より好ましくは５重量％未満、最も好ましくは２重量％未満の非アルコキシル化分枝状アルコールを含む。界面活性剤を好適に表面活性にするために、分枝状非イオン性界面活性剤は、８〜２４個、より好ましくは９〜１８個、最も好ましくは１０〜１４個の炭素原子を含む。式Ｉ、式ＩＩから選択されるアルコキシル化分枝状非イオン性アルコール、及びこれらの混合物が特に好ましい。
【００２７】
【化１】
2013536281.tif 000002
（式Ｉ中、
Ｒ１は、Ｃ５〜Ｃ１６直鎖又は分枝状のアルキル鎖、好ましくは直鎖のアルキル鎖であり、
Ｒ２は、Ｃ１〜Ｃ８直鎖又は分枝状のアルキル鎖、好ましく直鎖のアルキル鎖であり、
Ｒ３は、Ｈ又はＣ１〜Ｃ４アルキル、好ましくはＨ又はメチルであり、
ｂは、１〜４０、好ましくは５〜２０、より好ましくは７〜１２の数字である）、
【００２８】
【化２】
2013536281.tif 000003
（式ＩＩ中、
Ｒ１は、Ｃ６〜Ｃ１６直鎖又は分枝状のアルキル鎖、好ましくは直鎖のアルキル鎖であり、
Ｒ２は、Ｃ１〜Ｃ８直鎖又は分枝状のアルキル鎖、好ましく直鎖のアルキル鎖であり、
Ｒ３は、Ｈ又はＣ１〜Ｃ４アルキル、好ましくはＨ又はメチルであり、
ｂは、１〜４０、好ましくは５〜２０、より好ましくは７〜１２の数字である）。
【００２９】
前記分枝状非イオン性のアルコキシル化度は、好ましくは、存在する場合、エトキシル化アニオン性界面活性剤のエトキシル化度よりも大きい。アニオン性界面活性剤のエトキシル化度が増加するにつれて、液体食器手洗い洗剤組成物の粘度が上昇する。これは、界面活性剤系全体の親水性が上昇するためであると考えられる。更に、液体食器手洗い洗剤組成物は、一般的に、界面活性剤プレミックスを用いて作製される。アニオン性界面活性剤のエトキシル化度が増加するにつれて、加工中にこのような界面活性剤プレミックスがゲル化する可能性が高まる。しかし、アニオン性界面活性剤のエトキシル化度よりも高いアルコキシル化度を有する分枝状非イオン性界面活性剤を少量配合することにより、界面活性剤プレミックス及び得られた組成物の粘度を制御することができることが見出されている。
【００３０】
アルコキシル化分枝状非イオン性界面活性剤は、比較的水不溶性又は比較的水溶性に分類することができる。特定のアルコキシル化分枝状非イオン性界面活性剤は、水不溶性であると考えることができるが、好適な更なる界面活性剤、特にアニオン性又は非イオン性界面活性剤を用いて本発明の液体食器手洗い洗剤組成物に配合することができる。
【００３１】
式Ｉに係る好ましい分枝状非イオン性界面活性剤は、Ｅｔｈｙｌａｎ（登録商標）１００７＆１００８等の７又は８個のＥＯを有するＧｕｅｒｂｅｔ  Ｃ１０アルコールエトキシレート、並びに市販のＬｕｔｅｎｓｏｌ（登録商標）ＸＬシリーズ（Ｘｌ５０、ＸＬ７０等）等のＧｕｅｒｂｅｔ  Ｃ１０アルコールアルコキシル化非イオン性界面活性剤（エトキシル化及び／又はプロポキシル化されている）である。他の例示的なアルコキシル化分枝状非イオン性界面活性剤としては、ＢＡＳＦ  Ｃｏｒｐｏｒａｔｉｏｎから入手可能な商品名Ｌｕｔｅｎｓｏｌ（登録商標）ＸＰ３０、Ｌｕｔｅｎｓｏｌ（登録商標）ＸＰ−５０、及びＬｕｔｅｎｓｏｌ（登録商標）ＸＰ−８０として入手可能なものが挙げられる。一般に、Ｌｕｔｅｎｓｏｌ（登録商標）ＸＰ−３０は、３個の反復エトキシ基を有すると考えることができ、Ｌｕｔｅｎｓｏｌ（登録商標）ＸＰ−５０は、５個の反復エトキシ基を有すると考えることができ、Ｌｕｔｅｎｓｏｌ（登録商標）ＸＰ−８０は、８個の反復エトキシ基を有すると考えることができる。他の好適な分枝状非イオン性界面活性剤としては、Ｌｕｔｅｎｓｏｌ（登録商標）ＯＮ  ５０（５  ＥＯ）及びＬｕｔｅｎｓｏｌ（登録商標）ＯＮ  ７０（７  ＥＯ）等のオキソ分枝状非イオン性界面活性剤が挙げられる。また、Ｓａｓｏｌ製のＳａｆｏｌ（登録商標）アルコールから生成されるもの等の、最高５０％の分岐（４０％のメチル（モノ又はビ）、１０％のシクロヘキシル）を含む、フィッシャー・トロプシュ反応から生じるエトキシル化脂肪族アルコール；Ｓａｓｏｌ製のＩｓａｌｃｈｅｍ（登録商標）アルコール又はＬｉａｌ（登録商標）アルコールから生成されるもの等の、アルコールの少なくとも５０重量％がＣ２異性体（メチルからペンチル）である、オキソ反応から生じるエトキシル化脂肪族アルコールも好適である。
【００３２】
式ＩＩに係る好ましい分枝状非イオン性エトキシレートは、アルコキシル化度が３〜４０である商品名Ｔｅｒｇｉｔｏｌ（登録商標）１５−Ｓとして入手可能なものである。例えば、平均アルコキシル化度が２０であるＴｅｒｇｉｔｏｌ（登録商標）１５−Ｓ−２０である。式ＩＩに係る他の好適な市販物質は、Ｓｏｆｔａｎｏｌ（登録商標）Ｍ及びＥＰシリーズとして入手可能なものである。
【００３３】
更なる界面活性剤
本発明で用いられる組成物は、エトキシル化アニオン性、他のアニオン性、他の非イオン性、両性／双極性、カチオン性界面活性剤、及びこれらの混合物から選択される更なる界面活性剤を含んでもよい。本発明で用いられる液体食器手洗い組成物は、組成物の１０重量％〜８５重量％、好ましくは１２．５重量％〜６５重量％、より好ましくは１５重量％〜４０重量％の界面活性剤の総量を含んでもよい。界面活性剤の総量は、アルコキシル化分枝状非イオン性界面活性剤、並びに存在し得る任意のエトキシル化アニオン性界面活性剤、他のアニオン性、他の非イオン性、両性／双極性、及びカチオン性界面活性剤を含む、存在する全ての界面活性剤の合計である。
【００３４】
１）エトキシル化アニオン性界面活性剤
本発明の方法で用いられる液体食器手洗い洗剤組成物は、平均アルコキシル化度が０．８〜４、好ましくは１〜２であるアニオン性界面活性剤を、２重量％〜７０重量％、好ましくは５重量％〜３０重量％、より好ましくは１０重量％〜２５重量％含んでもよい。平均エトキシル化度は、本発明のエトキシル化アニオン性界面活性剤１モル当たりのエチレンオキシドの平均モル数として定義される。使用する場合、エトキシル化アニオン性界面活性剤は、少なくとも８０重量％、好ましくは少なくとも８２重量％、より好ましくは少なくとも８５重量％、最も好ましくは少なくとも９０重量％が直鎖である脂肪族アルコールから誘導される。直鎖とは、脂肪族アルコールが単一の炭素原子骨格を含み、分枝を含まないことを意味する。
【００３５】
好ましくは、前記エトキシル化アニオン性界面活性剤は、以下の式のエトキシル化アルキルサルフェート界面活性剤である：
Ｒ1−（ＯＣＨ2ＣＨ2）n−Ｏ−ＳＯ3-Ｍ+（式中、
Ｒ1は、飽和又は不飽和のＣ8〜Ｃ16、好ましくはＣ12〜Ｃ14アルキル鎖であり、好ましくは、Ｒ1は、飽和Ｃ8〜Ｃ16、より好ましくは飽和Ｃ12〜Ｃ14アルキル鎖であり、
ｎは、０．８〜４、好ましくは１〜２の数字であり、
Ｍ+は、電気的中性を提供する好適なカチオン、好ましくは、ナトリウム、カルシウム、カリウム、又はマグネシウム、より好ましくはナトリウムカチオンである。
【００３６】
好適なエトキシル化アルキルサルフェート界面活性剤としては、飽和Ｃ8〜Ｃ16アルキルエトキシサルフェート、好ましくは飽和Ｃ12〜Ｃ14アルキルエトキシサルフェートが挙げられる。
【００３７】
直鎖であるＲ1の割合は、出発脂肪族アルコールの少なくとも８０重量％が直鎖であるような割合である。飽和アルキル鎖が好ましいが、その理由は、二重結合の存在が、特定の香料成分等の他の成分又は更には紫外線との化学反応を引き起こす恐れがあるためである。このような反応は、相の不安定さ、脱色、及び悪臭を引き起こす恐れがある。
【００３８】
必要な炭素鎖長分布は、合成により調製された若しくは天然の原材料に由来する対応する鎖長分布を有するアルコール、又は対応する純粋な出発化合物を用いることにより得ることができる。好ましくは、本発明のアニオン性界面活性剤は、天然由来のアルコールから誘導される。植物又は動物エステル（ワックス）等の天然源を、様々な不飽和度とともに末端（一級）ヒドロキシルを有する直鎖アルコールを得るために用いてもよい。このようなＣ8〜Ｃ16のアルキル鎖を含む脂肪族アルコールは、脂肪酸又はメチルエステル、及び時にトリグリセリドから脂肪族アルコールを誘導する等の任意の公知の商業的プロセスにより調製することができる。例えば、高圧下及び好適な金属触媒の存在下において水素で処理することにより、脂肪酸のカルボキシル基に水素を付加して脂肪族アルコールを形成する。類似の反応により、グリセリド又はメチルエステルの水素化により脂肪族アルコールを調製することができる。メチルエステル還元は、飽和脂肪族アルコールを提供するための好適な手段であり、銅又はカドミウムオキシド等の特殊な触媒を用いる選択的水素化を、オレイルアルコールの生成に用いてもよい。チーグラー法等の合成又は石油系のプロセスは、好適な直鎖、偶数、飽和アルコールを生成するのに有用である。パラフィン酸化は、混合一級アルコールを作製するのに好適なプロセスである。脂肪族アルコールは、エチレンオキシドと反応して、エトキシル化脂肪族アルコールを得ることができる。次いで、対応するエトキシル化脂肪族アルコールのスルホン化により、式Ｒ1−（ＯＣＨ2ＣＨ2）n−Ｏ−ＳＯ3-Ｍ+のエトキシル化アルキルサルフェート界面活性剤を得ることができる。
【００３９】
式Ｒ1−（ＯＣＨ2ＣＨ2）n−Ｏ−ＳＯ3-Ｍ+のエトキシル化アルキルサルフェート界面活性剤は、ココヤシ油に由来し得る。ココヤシ油は、通常、化学的に加工されて、Ｃ12〜Ｃ18アルコールの混合物を得ることができるトリグリセリドを含む。高割合のＣ12〜Ｃ14アルキルサルフェートを含むアルキルサルフェートの混合物は、エトキシル化若しくはスルホン化工程前に対応するアルコールを分離するか、又は得られたエトキシル化アルコール若しくはエトキシル化アルキルサルフェート界面活性剤を分離することにより得ることができる。
【００４０】
本明細書における好ましいエトキシル化アニオン性界面活性剤は、アルキル鎖中に８〜１８、好ましくは１０〜１６、より好ましくは１２〜１４個の炭素原子を有するエトキシル化アルキルサルフェートであり、且つ８０〜１００％が直鎖である。このような界面活性剤は、好適な原料を用いる任意の公知のプロセスにより作製することができる。例えば、好ましくは天然由来の直鎖脂肪族アルコールは、ｎ−ドデカノール、ｎ−テトラデカノール、及びこれらの混合物等である。望ましい場合、このような界面活性剤は、合成源から誘導される直鎖アルキル部分を含有してもよく、軽く分岐している直鎖エトキシル化アルキルサルフェートの混合物、例えば、メチル分枝状類似体を含んでもよい。エトキシル化アルキルサルフェートは、そのナトリウム、カリウム、アンモニウム、又はアルカノールアミン塩の形態であってもよい。エトキシル化アニオン性界面活性剤の好適なアルコール前駆体としては、チーグラー由来の直鎖アルコール、油脂化学物質の水素化により調製されるアルコール、及びＳｈｅｌｌ製のＮｅｏｄｏｌ（登録商標）又はＤｏｂａｎｏｌ（登録商標）等のオキソ由来アルコールの直鎖成分を濃縮することにより調製される８０％以上直鎖のアルコールが挙げられる。好適な一級アルコールの他の例としては、Ｐｒｏｃｔｅｒ  ＆  Ｇａｍｂｌｅ  Ｃｏ．から市販されているもの等の天然の直鎖脂肪族アルコール；及び（ａ）パラフィンを酸化して脂肪族カルボン酸を形成する工程と、（ｂ）前記カルボン酸を対応する一級アルコールに還元する工程とによるパラフィンの酸化に由来するものが挙げられる。他の好ましいエトキシル化アニオン性界面活性剤は、Ｓａｓｏｌから商品名Ａｌｆｏｌ（登録商標）、Ｎａｃｏｌ（登録商標）、Ｎａｌｆｏｌ（登録商標）、Ａｌｃｈｅｍ（登録商標）として販売されているものである。
【００４１】
２）他のアニオン性界面活性剤
本発明の方法で用いられる組成物は、典型的に、２重量％〜７０重量％、好ましくは５重量％〜３０重量％、より好ましくは７．５重量％〜２５重量％、最も好ましくは１０重量％〜２０重量％のアニオン性界面活性剤を含む。
【００４２】
本発明の方法の組成物で用いられる好適なアニオン性界面活性剤は、サルフェート、スルホスクシネート、スルホネート、及び／又はスルホアセテートであり、好ましくはアルキルサルフェートである。
【００４３】
本明細書の組成物で使用するにあたって好適なサルフェート又はスルホネート界面活性剤としては、Ｃ10〜Ｃ14アルキル若しくはヒドロキシアルキル、サルフェート又はスルホネートの水溶性塩又は酸が挙げられる。好適な対イオンとしては、水素、アルカリ金属カチオン、又はアンモニウム若しくは置換アンモニウムが挙げられるが、好ましくはナトリウムである。ヒドロカルビル鎖が分枝状である場合、Ｃ1〜4のアルキル分枝単位を含むことが好ましい。
【００４４】
サルフェート又はスルホネート界面活性剤は、Ｃ11〜Ｃ18アルキルベンゼンスルホネート（ＬＡＳ）、Ｃ8〜Ｃ20一級分枝状及びランダムアルキルサルフェート（ＡＳ）、Ｃ10〜Ｃ18二級（２，３）アルキルサルフェート、米国特許第６，０２０，３０３号及び同第６，０６０，４４３号で論じられる中鎖分枝状アルキルサルフェート、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号で論じられる変性アルキルベンゼンスルホネート（ＭＬＡＳ）、メチルエステルスルホネート（ＭＥＳ）、並びにα−オレフィンスルホネート（ＡＯＳ）から選択されてもよい。
【００４５】
パラフィンスルホネートは、モノスルホネート又はジスルホネートであってよく、通常は、これらの混合物であり、１０〜２０個の炭素原子のパラフィンをスルホン化することによって得られる。好ましいスルホネートは、Ｃ１２〜１８の炭素原子鎖を有するものであり、より好ましくはＣ１４〜１７鎖のものである。パラフィン鎖に沿って分布するスルホネート基を有するパラフィンスルホネートは、米国特許第２，５０３，２８０号、同第２，５０７，０８８号、同第３，２６０，７４４号、同第３，３７２  １８８号、及び独国特許第７３５  ０９６号に記載されている。
【００４６】
更に好適なのは、Ｐｒｏｃｔｅｒ  ＆  Ｇａｍｂｌｅの国際公開第０６／０１４７４０号に記載のアルキルグリセリルスルホネート界面活性剤及び／又はアルキルグリセリルサルフェート界面活性剤、即ち、二量体、三量体、四量体、五量体、六量体、七量体、及びこれらの混合物から選択される、オリゴマーのアルキルグリセリルスルホネート及び／又はサルフェート界面活性剤の混合物であり、ここで、モノマーの重量パーセントは、アルキルグリセリルスルホネート及び／又はサルフェート界面活性剤の混合物の０重量％〜６０重量％である。
【００４７】
他の好適なアニオン性界面活性剤は、アルキル、好ましくは、ジアルキルスルホサクシネート及び／又はスルホアセテートである。ジアルキルスルホサクシネートは、Ｃ6〜15直鎖又は分枝鎖ジアルキルスルホサクシネートであり得る。アルキル部分は、対称（すなわち、同じアルキル部分）であっても非対称（すなわち、異なるアルキル部分）であってもよい。好ましくは、アルキル部分は対称である。
【００４８】
３）他の非イオン性界面活性剤
本発明の方法で用いられる液体食器手洗い洗剤組成物は、任意で、更なる非イオン性界面活性剤を含んでもよい。組成物は、好ましくは、２重量％〜４０重量％、より好ましくは３重量％〜３０重量％の非イオン性界面活性剤を含む。
【００４９】
好適な更なる非イオン性界面活性剤としては、１〜２５モルのエチレンオキシドを有する脂肪族アルコールの縮合生成物が挙げられる。脂肪族アルコールのアルキル鎖は、一般的に、８〜２２個の炭素原子を含有する。特に好ましいものは、８〜１８個の炭素原子、より好ましくは９〜１５個の炭素原子を含有するアルキル基を有し、アルコール１モルあたり２〜１８モル、より好ましくは２〜１５モル、最も好ましくは５〜１２モルのエチレンオキシドを含有するアルコールの縮合生成物である。
【００５０】
式Ｒ2Ｏ（ＣnＨ2nＯ）t（グリコシル）x（式（Ｉ））を有するアルキルポリグリコシドも好適であり、式中、式（Ｉ）のＲ2は、アルキル、アルキルフェニル、ヒドロキシアルキル、ヒドロキシアルキルフェニル、及びこれらの混合物からなる群から選択され、このアルキル基は、１０〜１８個、好ましくは１２〜１４個の炭素原子を含有し、式（Ｉ）のｎは２又は３、好ましくは２であり、式（Ｉ）のｔは０〜１０、好ましくは０であり、式（Ｉ）のｘは１．３〜１０、好ましくは１．３〜３、最も好ましくは１．３〜２．７である。グリコシルは、好ましくはグルコースから誘導される。同様に、アルキルグリセロールエーテル及びソルビタンエステルもまた好適である。
【００５１】
また好適なものは、式（ＩＩ）を有する脂肪酸アミド界面活性剤であり、
【００５２】
【化３】
2013536281.tif 000004
式中、式（ＩＩ）のＲ6は、７〜２１個、好ましくは９〜１７個の炭素原子を含有するアルキル基であり、式（ＩＩ）のＲ7はそれぞれ、水素、Ｃ1〜Ｃ4アルキル、Ｃ1〜Ｃ4ヒドロキシアルキル、及び−（Ｃ2Ｈ4Ｏ）xＨからなる群から選択され、式（ＩＩ）のｘは、１〜３まで幅がある。好ましいアミドは、Ｃ8〜Ｃ20アンモニアアミド、モノエタノールアミド、ジエタノールアミド、及びイソプロパノールアミドである。
【００５３】
本発明で使用するのに好ましい非イオン性界面活性剤は、脂肪族アルコールとエチレンオキシドとの縮合生成物であり、市販の平均８個のＥＯユニットで修飾されたＮｅｏｄｏｌ９１−５又はＮｅｏｄｏｌ９１−８のような、例えば、平均５個のエチレンオキシド（ＥＯ）ユニットで修飾されたノニル（Ｃ９）、デシル（Ｃ１０）ウンデシル（Ｃ１１）アルコールの混合物などである。また、５個のＥＯで修飾されたＣ１２、Ｃ１３等のより長いアルキル鎖エトキシル化非イオン性界面活性剤（Ｎｅｏｄｏｌ  ２３−５）も好適である。ＮｅｏｄｏｌはＳｈｅｌｌの商標名である。更に好適なのは、７個のＥＯで修飾されたＣ１２、Ｃ１４アルキル鎖であり、商標名Ｎｏｖｅｌ  １４１２−７（Ｓａｓｏｌ）、又はＬｕｔｅｎｓｏｌ  Ａ７  Ｎ（ＢＡＳＦ）で市販されている。
【００５４】
４）両性／双極性界面活性剤
両性／双極性界面活性剤は、優れた洗浄性を提供し、且つ手に優しいと同時に、起泡プロファイルを更に向上させることが見出されている。両性及び双極性界面活性剤は、液体食器手洗い洗剤組成物の０．０１重量％〜２０重量％、好ましくは０．２重量％〜１５重量％、より好ましくは０．５重量％〜１０重量％の濃度で含まれ得る。好ましい両性及び双極性界面活性剤は、アミンオキシド界面活性剤、ベタイン界面活性剤、及びこれらの混合物である。
【００５５】
最も好ましいものはアミンオキシドであり、特にココジメチルアミンオキシド又はココアミドプロピルジメチルアミンオキシドである。アミンオキシドは、直鎖又は中程度分枝状アルキル部分を有し得る。典型的な直鎖アミンオキシドとしては、式Ｒ1−Ｎ（Ｒ2）（Ｒ3）→Ｏ、（式中、Ｒ1はＣ8〜18アルキル部分であり、Ｒ2及びＲ3は、独立して、Ｃ1〜3アルキル基及びＣ1〜3ヒドロキシアルキル基からなる群から選択される）の水溶性アミンオキシドが挙げられ、好ましくは、メチル、エチル、プロピル、イソプロピル、２−ヒドロキシエチル、２−ヒドロキシプロピル、及び３−ヒドロキシプロピルが挙げられる。直鎖アミンオキシド系界面活性剤としては、具体的には、直鎖Ｃ10〜Ｃ18アルキルジメチルアミンオキシド、及び直鎖Ｃ8〜Ｃ12アルコキシエチルジヒドロキシエチルアミンオキシドを挙げることができる。好ましいアミンオキシドには、直鎖Ｃ10、直鎖Ｃ10〜Ｃ12、及び直鎖Ｃ12〜Ｃ14アルキルジメチルアミンオキシドが挙げられる。本明細書で使用するとき、「中分枝状」とは、アミンオキシドが、ｎ1の炭素原子を有する１つのアルキル部分を有し、アルキル部分の１つのアルキル分枝が、ｎ2の炭素原子を有することを意味する。アルキル分枝は、アルキル部分における窒素からのα炭素に位置する。アミンオキシドのこの種類の分枝は、内在アミンオキシドとしても当該技術分野において知られている。ｎ1とｎ2の総合計は、１０〜２４個の炭素原子、好ましくは１２〜２０個、より好ましくは１０〜１６個である。１つのアルキル部分に対する炭素原子の数（ｎ1）は、１つのアルキル分枝（ｎ2）とおよそ同数の炭素原子であって、その１つのアルキル部分と１つのアルキル分枝とが対称となるようにされるべきである。本明細書で使用するとき、「対称」は、本明細書で用いられる中分枝状アミンオキシドの少なくとも５０重量％、より好ましくは少なくとも７５重量％〜１００重量％で、｜ｎ1−ｎ2｜が５個以下、好ましくは４個未満の炭素原子であることを意味する。
【００５６】
アミンオキシドは、Ｃ1〜3アルキル、Ｃ1〜3ヒドロキシアルキル基、又は平均で１〜３個のエチレンオキシド基を含有するポリエチレンオキシド基から独立に選択される２つの部分を更に含む。好ましくは、２つの部分は、Ｃ1〜3アルキルから選択され、より好ましくは、両方がＣ１アルキルとして選択される。
【００５７】
他の好適な界面活性剤としては、アルキルベタイン、アルキルアミドベタイン、アミダゾリニウムベタイン、スルホベタイン（ＩＮＣＩスルタイン）及びホスホベタイン等のベタインが挙げられ、好ましくは、式（ＩＩＩ）を満たす：
Ｒ1−［ＣＯ−Ｘ（ＣＨ2）n］x−Ｎ+（Ｒ2）（Ｒ3）−（ＣＨ2）m−［ＣＨ（ＯＨ）−ＣＨ2］y−Ｙ−（ＩＩＩ）（式中、
Ｒ1は、飽和又は不飽和のＣ6〜22アルキル鎖、好ましくはＣ8〜18アルキル鎖、より好ましくは飽和Ｃ10〜16アルキル鎖、最も好ましくは飽和Ｃ12〜14アルキル鎖であり；
Ｘは、ＮＨ、ＮＲ4、Ｏ、及びＳからなる群から選択され（式中、Ｒ4は、Ｃ1〜4アルキル鎖である）、
ｎは、１〜１０、好ましくは２〜５、より好ましくは３の整数であり、
ｘは、０又は１、好ましくは１であり、
Ｒ2、Ｒ3は、独立して、Ｃ1〜4アルキル鎖、好ましくはメチル鎖から選択され、Ｒ2、Ｒ3は、また、ヒドロキシエチル又はヒドロキシメチル鎖のようにヒドロキシ置換されてもよく、
ｍは、１〜４、好ましくは１、２、又は３の整数であり、
ｙは、０又は１であり、
Ｙは、ＣＯＯ、ＳＯ３、ＯＰＯ（ＯＲ5）Ｏ及びＰ（Ｏ）（ＯＲ5）Ｏ（式中、Ｒ5は、Ｈ又はＣ1〜4アルキル鎖である）からなる群から選択される）。
【００５８】
好ましいベタインは、式（ＩＩＩａ）のアルキルベタイン、式（ＩＩＩｂ）のアルキルアミドベタイン、式（ＩＩＩｃ）のスルホベタイン、及び式（ＩＩＩｄ）のアミドスルホベタインである；
Ｒ1−Ｎ+（ＣＨ3）2−ＣＨ2ＣＯＯ-                                （ＩＩＩａ）
Ｒ1−ＣＯ−ＮＨ（ＣＨ2）3−Ｎ+（ＣＨ3）2−ＣＨ2ＣＯＯ-          （ＩＩＩｂ）
Ｒ1−Ｎ+（ＣＨ3）2−ＣＨ2ＣＨ（ＯＨ）ＣＨ2ＳＯ3-                （ＩＩＩｃ）
Ｒ1−ＣＯ−ＮＨ−（ＣＨ2）3−Ｎ+（ＣＨ3）2−ＣＨ2ＣＨ（ＯＨ）ＣＨ2ＳＯ3-    （ＩＩＩｄ）
（式中、Ｒ1は、式ＩＩにおける意味と同じ意味を有する）。特に好ましいベタインは、カルボベタイン（式中、Ｙ-＝ＣＯＯ-である）、特に式（ＩＩＩａ）及び（ＩＩＩｂ）のカルボベタイン、より好ましくは式（ＩＩＩｂ）のアルキルアミドベタインである。
【００５９】
好適なベタイン及びスルホベタインの例は以下の通りである［ＩＮＣＩに従って表記している］。アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラアミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチルダイズグリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、パルマムアミドプロピルベタイン、パルミタムアミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタイン。
【００６０】
好ましいベタインは、例えば、ココアミドプロピルベタイン（ココアミドプロピルベタイン）である。
【００６１】
好ましい界面活性剤系は、１：１〜５：１、好ましくは１：１〜３．５：１の比のアニオン性界面活性剤と両性又は双極性界面活性剤との混合物である。
【００６２】
５）カチオン性界面活性剤
組成物中に存在する場合、カチオン性界面活性剤は、有効量で、より好ましくは組成物の０．１重量％〜２０重量％で存在する。好適なカチオン性界面活性剤は、好ましくはモノＣ6〜Ｃ16、より好ましくはＣ6〜Ｃ10Ｎ−アルキル又はアルケニルアンモニウム界面活性剤からなる群から選択され、残りのＮ位はメチル、ヒドロキシエチル、又はヒドロキシプロピル基によって置換される四級アンモニウム界面活性剤である。別の好ましいカチオン性界面活性剤は、四級クロリンエステルのような、四級アンモニウムアルコールのＣ6〜Ｃ18アルキル又はアルケニルエステルである。より好ましくは、カチオン性界面活性剤は、式（Ｖ）を有する。
【００６３】
【化４】
2013536281.tif 000005
式中、式（Ｖ）のＲ1は、Ｃ8〜Ｃ18ヒドロカルビル及びこれらの混合物、好ましくはＣ8〜14アルキル、より好ましくはＣ8、Ｃ10又はＣ12のアルキルであり、式（Ｖ）のＸ-は、アニオン、好ましくは塩化物又は臭化物である。
【００６４】
洗浄ポリマー
本明細書の食器手洗い用液体組成物は、所望により更に１つ以上のアルコキシル化ポリエチレンイミンポリマーを含み得る。組成物には、国際公開第２００７／１３５６４５号（Ｐｒｏｃｔｅｒ  ＆  Ｇａｍｂｌｅ  Ｃｏｍｐａｎｙ）の２頁３３行目〜５頁５行目に記載され、５〜７頁の実施例１〜４に例示されるように、組成物全体の０．０１重量％〜１０重量％、好ましくは０．０１重量％〜２重量％、より好ましくは０．１重量％〜１．５重量％、更により好ましくは０．２重量％〜１．５重量％のアルコキシル化ポリエチレンイミンポリマーが含まれ得る。
【００６５】
本組成物の修飾ポリエチレンイミンポリマーは、４００〜１００００、好ましくは６００〜７０００、より好ましくは３０００〜６０００の重量平均分子量を有するポリエチレンイミン主鎖を有する。
【００６６】
ポリエチレンイミン主鎖の修飾としては、以下が挙げられる。（１）ポリエチレンイミン主鎖における、修飾が内部窒素原子又は末端窒素原子のいずれで起きるかによって窒素原子１個当たり１個又は２個のアルコキシル化修飾であって、修飾１個当たり平均で約１個〜約４０個のアルコキシ部分を有するポリアルコキシレン鎖による水素原子の置換からなり、アルコキシル化修飾の末端アルコキシ部分が、水素、Ｃ1〜Ｃ4アルキル、又はこれらの組み合わせによって末端保護されているアルコキシル化修飾、（２）ポリエチレンイミン主鎖における、置換が内部窒素原子又は末端窒素原子のいずれで起きるかによって窒素原子１個当たり１個のＣ1〜Ｃ4アルキル部分による置換、及び１個又は２個のアルコキシル化修飾であって、修飾１個当たり平均で約１個〜約４０個のアルコキシ部分を有するポリアルコキシレン鎖による水素原子の置換からなり、末端アルコキシ部分が、水素、Ｃ1〜Ｃ4アルキル又はこれらの組み合わせによって末端保護されているアルコキシル化修飾、又は（３）これらの組み合わせ。
【００６７】
組成物は更にグラフトベースとしての水溶性ポリアルキレンオキシド（Ａ）、及びビニルエステル構成要素の重合により形成される側鎖（Ｂ）に基づく両親媒性グラフトポリマーを含むことができ、このようなポリマーは、ＢＡＳＦの国際公開第２００７／１３８０５３号の、２頁の１４行目〜１０頁の３４行目の記載、及び１５〜１８頁の例示にあるように、アルキレンオキシド単位５０個あたり平均≦１のグラフト部位と、３，０００〜１００，０００の平均モル質量Ｍｗとを有する。
【００６８】
カチオン性ポリマー
好ましい実施形態では、本明細書における液体食器手洗い洗剤組成物は、少なくとも１つのカチオン性ポリマーを含んでもよい。理論に束縛されるものではないが、カチオン性ポリマーとアニオン性界面活性剤との相互作用により、ポリマーリッチなコアセルベート相が組成物のバルク相から分離するコアセルベーションとして知られている相分離現象が生じると考えられる。コアセルベーションは、皮膚におけるカチオン性ポリマーの付着を強化し、このコアセルベート相に捕捉され得る疎水性皮膚軟化剤及び皮膚におけるこのような共付着物等の他の活性剤の付着に役立つ。このコアセルベート相は、食器手洗い用液体洗剤中にあらかじめ存在する場合もあり、あるいは洗浄組成物の希釈又はすすぎ時に形成される場合もある。
【００６９】
典型的にはカチオン性ポリマーは、組成物全体の０．００１重量％〜１０重量％、好ましくは０．０１重量％〜５重量％、より好ましくは０．０５重量％〜１重量％の濃度で存在する。
【００７０】
本発明での使用に好適なカチオン性ポリマーは、四級アンモニウム又はカチオン性プロトン化アミノ部分のようなカチオン性窒素含有部分を含む。カチオン性ポリマーの平均分子量は、５０００〜１０００万、好ましくは少なくとも１０００００、より好ましくは少なくとも２０００００であるが、好ましくは約３００００００を超えない。カチオン性ポリマーは、好ましくは、組成物の意図する用途のｐＨにおいて、０．１ｍｅｑ／ｇ〜５ｍｅｑ／ｇ、より好ましくは少なくとも約０．２ｍｅｑ／ｇ、より好ましくは少なくとも約０．３ｍｅｑ／ｇのカチオン電荷密度を有する。電荷密度は、繰り返し単位当たりの正味電荷数を、繰り返し単位の分子量で除することにより計算される。正電荷は、ポリマーの骨格鎖上及び／又はポリマーの側鎖上に位置してもよい。一般的に、液体食器洗浄液のｐＨ機能において（アミンの場合）、ポリマー中のアミン又は第四級アンモニウム部分の割合の加減は電化密度に影響する。ポリマーが、水及び本発明の組成物中に可溶性のままであり、且つ対イオンがこの組成物の必須成分に関して物理的及び化学的に安定であり、あるいは製品性能、安定性ないしは美観を過度に損なうことのない限り、任意のアニオン性対イオンをカチオン沈着ポリマーと会合させて使用することができる。こうした対イオンの非限定的な例としては、ハロゲン化物（例えば、塩素、フッ素、臭素、及びヨウ素）、サルフェート及びメチルサルフェートが挙げられる。
【００７１】
水溶性カチオン化ポリマーの具体例としては、カチオン化セルロース誘導体、カチオン化デンプン及びカチオン化グアーガム誘導体などのカチオン性多糖が挙げられる。同様に、ジアリル第四級アンモニウム塩ホモポリマー、ジアリル第四級アンモニウム塩／アクリルアミドコポリマー、第四級化ポリビニルピロリドン誘導体、ポリグリコールポリアミン縮合体、ビニルイミダゾリウムトリクロリド／ビニルピロリドンコポリマー、ジメチルジアリルアンモニウムクロリドコポリマー、ビニルピロリドン／第四級化ジメチルアミノエチルメタクリレートコポリマー、ポリビニルピロリドン／アルキルアミノアクリレートコポリマー、ポリビニルピロリドン／アルキルアミノアクリレート／ビニルカプロラクタムコポリマー、ビニルピロリドン／メタクリルアミドプロピルトリメチルアンモニウムクロリドコポリマー、アルキルアクリルアミド／アクリレート／アルキルアミノアルキルアクリルアミド／ポリエチレングリコールメタクリレートコポリマー、アジピン酸／ジメチルアミノヒドロキシプロピルエチレントリアミンコポリマー（「Ｃａｒｔａｒｅｔｉｎ」−Ｓａｎｄｏｚ／ＵＳＡ製品）、及び任意選択的に、アルキルアミド由来の単位を介してポリマー主鎖に結合する、少なくとも１つの複素環式末端基を有する第四級化／プロトン化縮合ポリマー（結合は所望により（国際公開第２００７  ０９８８８９号、２〜１９頁に記載のように）置換されたエチレン基を含む）などの合成的に誘導されるコポリマーが挙げられる。
【００７２】
一般的に上記された市販の水溶性カチオン化ポリマーの具体的な非限定的な例としては、「Ｍｅｒｑｕａｔ  ５５０」（アクリルアミドとジアリルジメチルアンモニウム塩とのコポリマー−ＣＴＦＡ名：ポリクオタニウム−７、ＯＮＤＥＯ−ＮＡＬＣＯ製品）、「Ｌｕｖｉｑｕａｔ  ＦＣ３７０」（１−ビニル−２−ピロリドンと１−ビニル−３−メチルイミダゾリウム塩とのコポリマー−ＣＴＦＡ名：ポリクオタニウム−１６、ＢＡＳＦ製品）、「Ｇａｆｑｕａｔ  ７５５Ｎ」（１−ビニル−２−ピロリドンとジメチルアミノエチルメタクリレートとのコポリマー−ＣＴＦＡ名：ポリクオタニウム−１１、ＩＳＰからの製品）、「Ｐｏｌｙｍｅｒ  ＫＧ」、「Ｐｏｌｙｍｅｒ  ＪＲシリーズ」及び「Ｐｏｌｙｍｅｒ  ＬＲシリーズ」（エポキシド置換したトリメチルアンモニウムとヒドロキシエチルセルロースとの反応生成物の塩−ＣＴＦＡ名：ポリクオタニウム−１０，Ａｍｅｒｃｈｏｌ製品）並びに「Ｊａｇｕａｒシリーズ」（グアーヒドロキシプロピルトリモニウムクロリド、Ｒｈｏｄｉａ製品）、又は「Ｎ−ｈａｎｃｅシリーズ」（グアーヒドロキシプロピルトリモニウムクロリド、Ａｑｕａｌｏｎ製品）である。
【００７３】
好ましいカチオン性ポリマーはカチオン性多糖であり、より好ましくはトリメチルアンモニウム置換エポキシドと反応させたヒドロキシエチルセルロースの塩であり、工業的（ＣＴＦＡ）にはポリクオタニウム−１０（ＵＣＡＲＥ  ＬＲ４００又はＵＣＡＲＥ  ＪＲ−４００（Ｄｏｗ  Ａｍｅｒｃｈｏｌ製）など）として参照される、更により好ましくは、グアーヒドロキシプロピルトリモニウムクロリドなど（例えば、Ｊａｇｕａｒシリーズ（Ｒｈｏｄｉａ製）及びＮ−Ｈａｎｃｅ  ｐｏｌｙｍｅｒシリーズ（Ａｑｕａｌｏｎより入手可能））のカチオン性グアーガム誘導体である。
【００７４】
酵素
酵素は、組成物全体の０．００００１重量％〜１重量％の酵素タンパク質濃度で、好ましくは組成物全体の０．０００１重量％〜０．５重量％の酵素タンパク質濃度で、より好ましくは組成物全体の０．０００１重量％〜０．１重量％の酵素タンパク質濃度で本発明の方法で用いられる組成物に配合され得る。
【００７５】
好ましい実施形態では、本発明の組成物は、酵素、好ましくはプロテアーゼ及び／又はアミラーゼを含んでもよい。
【００７６】
微生物起源のプロテアーゼが好ましい。化学的又は遺伝子学的に改変された変異型が含まれる。プロテアーゼは、セリンプロテアーゼ、好ましくはアルカリ性微生物プロテアーゼ又はトリプシン様プロテアーゼであり得る。
【００７７】
本明細書での使用に好ましいプロテアーゼとしては、バチルス・レンタスの野生型酵素又はバチルス・アミロリケファシエンスの野生型酵素との同一性が、少なくとも９０％、好ましくは少なくとも９５％、より好ましくは少なくとも９８％、更により好ましくは少なくとも９９％、特に１００％であることが実証されたポリペプチドが挙げられる。
【００７８】
好ましい市販のプロテアーゼ酵素としては、商品名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）でＮｏｖｏｚｙｍｅｓ  Ａ／Ｓ（Ｄｅｎｍａｒｋ）により販売されているもの、商品名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、ＰｕｒａｆｅｃｔＰｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）でＧｅｎｅｎｃｏｒ  Ｉｎｔｅｒｎａｔｉｏｎａｌにより販売されているもの、及び商品名Ｏｐｔｉｃｌｅａｎ（登録商標）及びＯｐｔｉｍａｓｅ（登録商標）でＳｏｌｖａｙ  Ｅｎｚｙｍｅｓにより販売されているものが挙げられる。１つの態様では、好ましいプロテアーゼは、好ましくはＹ２１７Ｌ変異を含む、Ｂａｃｉｌｌｕｓ  ａｍｙｌｏｌｉｑｕｅｆａｃｉｅｎｓ由来のサブチリシンＢＰＮ’プロテアーゼであり、Ｇｅｎｅｎｃｏｒ  Ｉｎｔｅｒｎａｔｉｏｎａｌより商品名Ｐｕｒａｆｅｃｔ  Ｐｒｉｍｅ（登録商標）で市販されている。
【００７９】
好適なアルファ−アミラーゼとしては、細菌又は真菌由来のものが挙げられる。化学的又は遺伝子学的に改変された変異型（変異体）が含まれる。好ましいアルカリ性α−アミラーゼはバチルスの菌種から、例えば、バチルス・リケニフォルミス、バチルス・アミロリケファシエンス、バチルス・ステアロサーモフィルス、バチルス・ズブチルス、又は他のバチラス種、例えばバチルス種ＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）に由来する。好ましいアミラーゼには次のものが挙げられる。
（ａ）国際公開第９４／０２５９７号、同第９４／１８３１４号、同第９６／２３８７４号、及び同第９７／４３４２４号に記載の変異体、特に、国際公開第９６／２３８７４号の配列番号２としてリストされた酵素に対して、以下の位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換された変異体。
（ｂ）米国特許第５，８５６，１６４号及び国際公開第９９／２３２１１号、同第９６／２３８７３号、同第００／６００６０号、及び同第０６／００２６４３号に記載の変異型、特に国際公開第０６／００２６４３号で配列番号１２として記載のＡＡ５６０酵素に対して、以下の位置：２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３*及びＧ１８４*の欠損を含有する変異体。
（ｃ）国際公開第０６／００２６４３号での配列番号４（Ｂａｃｉｌｌｕｓ  ＳＰ７２２由来の野生型酵素）と少なくとも９０％の同一性を呈し、特に位置１８３及び１８４で欠損を有する変異体、並びに本明細書に参照により組み込まれる国際公開第００／６００６０号に記載の変異体。
（ｄ）バチルス種７０７（米国特許第６，０９３，５６２号の配列番号７）からの野生型酵素と少なくとも９５％の同一性を呈する変異体、特に以下の変異Ｍ２０２、Ｍ２０８、Ｓ２５５、Ｒ１７２及び／又はＭ２６１を１つ以上含むもの。好ましくはこのアミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましくは、Ｍ２０２Ｌ又はＭ２０２Ｔ突然変異を含むものである。
【００８０】
好適な市販のα−アミラーゼとしてはＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標））、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ、Ｂａｇｓｖａｅｒｄ、Ｄｅｎｍａｒｋ）、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ：Ｗｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ：Ｃａｌｉｆｏｒｎｉａ）及びＫＡＭ（登録商標）（花王：日本、１０３−８２１０、東京都中央区日本橋茅場町１丁目１４番１０号）が挙げられる。１つの態様では、好適なアミラーゼとしては、ＮＡＴＡＬＡＳＥ（登録商標）、ＳＴＡＩＮＺＹＭＥ（登録商標）及びＳＴＡＩＮＺＹＭＥ  ＰＬＵＳ（登録商標）、並びにこれらの混合物が挙げられる。
【００８１】
保湿剤
好ましい実施形態では、組成物は、１以上の保湿剤を含んでもよい。保湿剤を含むこのような組成物は、更に手の皮膚に対して穏やかな効果を提供することが判明している。
【００８２】
存在する場合、保湿剤は、典型的に、本発明の組成物全体の０．１重量％〜５０重量％、好ましくは１重量％〜２０重量％、より好ましくは１重量％〜１０重量％、更により好ましくは組成物全体の１重量％〜６重量％、最も好ましくは２重量％〜５重量％の濃度で存在する。
【００８３】
本発明に従って使用できる保湿剤としては、水に対して結合性を示し、基材の、好ましくは皮膚の水の吸収作用を高める助けをする物質が挙げられる。特に好適な保湿剤の具体的な非限定的な例としては、グリセロール、ジグリセロール、ポリエチレングリコール（ＰＥＧ−４）、プロピレングリコール、ヘキシレングリコール、ブチレングリコール、（ジ）−プロピレングリコール、グリセリルトリアセテート、ポリアルキレングリコール、及びこれらの混合物が挙げられる。他の好適な保湿剤は、メチルグルコースのポリエチレングリコールエーテル、ピロリドンカルボン酸（ＰＣＡ）及びその塩、ピドロ酸及びピドロ酸ナトリウムなどの塩、ソルビトール、キシリトール及びマルチトールなどのポリオール、又はポリデキストロースなどの高分子ポリオール、又はキラヤなどの天然抽出物、又は乳酸若しくは尿素であり得る。同様に、アルキルポリグリコシド、ポリベタインポリシロキサン、及びこれらの混合物も挙げられる。更なる好適な保湿剤は、例えば、ヒアルロン酸、キトサン及び／若しくはフルクトースに富む多糖（例えばＳＯＬＡＢＩＡ  ＳからＦｕｃｏｇｅｌ（登録商標）１０００（ＣＡＳ−Ｎｒ  １７８４６３−２３−５））として入手可能である、水溶性及び／又は水膨潤性多糖のファミリーの高分子保湿剤である。
【００８４】
電解質及びキレート剤
電解質又はキレート剤は、液体洗剤組成物の５重量％未満、好ましくは０．０１５重量％〜３重量％、より好ましくは０．０２５重量％〜２．０重量％に制限することが好ましい。
【００８５】
電解質は、水性界面活性剤の相挙動に影響を与え得る水溶性の一価又は多価非表面活性（すなわち、非界面活性）塩である。このような電解質としては、ナトリウム、カリウム、及びアンモニウムの塩化物、硫酸塩、硝酸塩、酢酸塩、及びクエン酸塩が挙げられる。
【００８６】
キレート剤は、例えば、沈殿又はスケール形成を導く、界面活性剤系の性能及び安定性に有害な効果を有する可能性のある、遷移金属イオンを含む金属イオンと結合させるか又は錯体を形成させるために用いられる。カルシウム及びマグネシウムイオン等のイオンを遮閉することにより、キレート剤は、乾燥中に縞を生じさせる恐れのある結晶成長も阻害する。しかし、キレート剤は、水性界面活性剤の相挙動に影響を与える場合もある。
【００８７】
キレート剤としては、アミノカルボキシレート、アミノホスホネート、ポリ官能性置換芳香族キレート剤、及びこれらの混合物が挙げられる。キレート剤の例としては、以下が挙げられる：ＭＥＡクエン酸塩、クエン酸、アミノアルキレンポリ（アルキレンホスホン酸塩）、アルカリ金属エタン１−ヒドロキシジホスホン酸塩、及びニトリロトリメチレン、ホスホン酸塩、ジエチレントリアミンペンタ（メチレンホスホン酸）（ＤＴＰＭＰ）、エチレンジアミンテトラ（メチレンホスホン酸）（ＤＤＴＭＰ）、ヘキサメチレンジアミンテトラ（メチレンホスホン酸）、ヒドロキシ−エチレン１，１ジホスホン酸（ＨＥＤＰ）、ヒドロキシエタンジメチレンホスホン酸、エチレンジアミン二コハク酸（ＥＤＤＳ）、エチレンジアミン四酢酸（ＥＤＴＡ）、ヒドロキシエチルエチレンジアミン三酢酸塩（ＨＥＤＴＡ）、ニトリロ三酢酸塩（ＮＴＡ）、メチルグリシン二酢酸塩（ＭＧＤＡ）、イミノ二コハク酸塩（ＩＤＳ）、ヒドロキシエチルイミノ二コハク酸塩（ＨＩＤＳ）、ヒドロキシエチルイミノ二酢酸塩（ＨＥＩＤＡ）、グリシン二酢酸塩（ＧＬＤＡ）、ジエチレントリアミン五酢酸塩（ＤＴＰＡ）及びこれらの混合物。
【００８８】
溶媒
好適な溶媒としては、Ｃ4〜14エーテル及びジエーテル、グリコール、アルコキシル化グリコール、Ｃ6〜Ｃ16グリコールエーテル、アルコキシル化芳香族アルコール、芳香族アルコール、脂肪族分枝状アルコール、アルコキシル化脂肪族分枝状アルコール、アルコキシル化直鎖Ｃ1〜Ｃ5アルコール、直鎖Ｃ1〜Ｃ5アルコール、アミン、Ｃ8〜Ｃ14アルキル及びシクロアルキル炭化水素及びハロ炭化水素、並びにこれらの混合物が挙げられる。存在する場合、本発明の方法で用いられる液体洗剤組成物は、液体洗剤組成物の０．０１重量％〜２０重量％、好ましくは０．５重量％〜２０重量％、より好ましくは１重量％〜１０重量％の溶媒を含有する。これらの溶媒は、水などの水性液体キャリアと共に使用することができ、又はいずれの水性液体キャリアも存在させることなく使用することができる。
【００８９】
ヒドロトロープ
本発明の方法で用いられる液体洗剤組成物は、液体洗剤組成物が水に適切に相溶するように、所望によりヒドロトロープを有効量で含んでもよい。本明細書で使用するのに好適なヒドロトロープとしては、アニオン型のヒドロトロープ、特にキシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物、並びに米国特許第３，９１５，９０３号に開示されている関連する化合物が挙げられる。本発明の液体洗剤組成物は、典型的には、液体洗剤組成物の０重量％〜１５重量％、好ましくは１重量％〜１０重量％、最も好ましくは３重量％〜１０重量％のヒドロトロープ、又はその混合物を含む。
【００９０】
高分子泡安定剤
組成物は、任意で高分子泡安定剤を含有してもよい。これらの高分子泡安定剤は、液体洗剤組成物の泡の体積及び泡持続時間の増大をもたらす。これらの高分子泡安定剤は、（Ｎ，Ｎ−ジアルキルアミノ）アルキルエステルのホモポリマー、及び（Ｎ，Ｎ−ジアルキルアミノ）アルキルアクリレートエステルのホモポリマーから選択することができる。従来のゲル浸透クロマトグラフィーによって判定される、高分子起泡増進剤の重量平均分子量は、１，０００〜２，０００，０００、好ましくは５，０００〜１，０００，０００、より好ましくは１０，０００〜７５０，０００、より好ましくは２０，０００〜５００，０００、更により好ましくは３５，０００〜２００，０００である。高分子泡安定化剤は、任意に、無機塩又は有機塩の塩の形態で存在することができる。
【００９１】
１つの好ましい高分子泡安定化剤は、（Ｎ，Ｎ−ジメチルアミノ）アルキルアクリレートエステルである。他の好ましい起泡増進高分子は、ヒドロキシプロピルアクリレート／ジメチルアミノエチルメタクリレートコポリマー（ＨＰＡ／ＤＭＡＭコポリマー）である。
【００９２】
組成物中に存在する場合、高分子起泡増進／安定化剤は、液体洗剤組成物の０．０１重量％〜１５重量％、好ましくは０．０５重量％〜１０重量％、より好ましくは０．１重量％〜５重量％で存在してもよい。
【００９３】
他の好ましい高分子起泡増進剤の部類は、４５，０００未満の、好ましくは１０，０００〜４０，０００の、より好ましくは１３，０００〜２５，０００の数平均分子量（Ｍｗ）を有する疎水変性セルロースポリマーである。疎水変性セルロース系ポリマーとしては、非イオン性及びカチオン性のセルロース誘導体などの、水溶性セルロースエーテル誘導体が挙げられる。好ましいセルロース誘導体としては、メチルセルロース、ヒドロキシプロピルメチルセルロース、ヒドロキシエチルメチルセルロース、及びこれらの混合物が挙げられる。
【００９４】
ジアミン
組成物の別の任意成分は、ジアミンである。液体洗剤組成物のユーザーの癖及びやり方は著しいばらつきを示すので、組成物は、前記組成物の０重量％〜１５重量％、好ましくは０．１重量％〜１５重量％、好ましくは０．２重量％〜１０重量％、より好ましくは０．２５重量％〜６重量％、より好ましくは０．５重量％〜１．５重量％の、少なくとも１つのジアミンを含有してもよい。
【００９５】
好ましい有機ジアミンは、ｐＫ１及びｐＫ２が８．０〜１１．５の範囲、好ましくは８．４〜１１の範囲、更により好ましくは８．６〜１０．７５の範囲であるものである。好ましい物質としては、１，３−ビス（メチルアミン）−シクロヘキサン（ｐＫａ＝１０〜１０．５）、１，３−プロパンジアミン（ｐＫ１＝１０．５、ｐＫ２＝８．８）、１，６−ヘキサンジアミン（ｐＫ１＝１１、ｐＫ２＝１０）、１，３−ペンタンジアミン（ＤＹＴＥＫ  ＥＰ（登録商標））（ｐＫ１＝１０．５、ｐＫ２＝８．９）、２−メチル１，５−ペンタンジアミン（ダイテックＡ（登録商標））（ｐＫ１＝１１．２、ｐＫ２＝１０．０）が挙げられる。他の好ましい材料としては、Ｃ4〜Ｃ8の範囲のアルキレンスペーサーを有する、第一級／第一級ジアミンが挙げられる。
【００９６】
カルボン酸
液体洗剤組成物は、組成物のすすぎの感触を向上させるために、直鎖若しくは環式カルボン酸又はその塩を含んでもよい。アニオン性界面活性剤の存在は、特に組成物の１５〜３５重量％の範囲で多量に存在する場合に、ユーザーの手及び食器に滑りやすい感触を付与する組成物をもたらす。この滑りやすい感触は、本明細書で規定されるカルボン酸を用いる場合に減少する、すなわち、すすぎの感触が滑りやすくなる。
【００９７】
本明細書で有用なカルボン酸としては、Ｃ1〜6の直鎖状の酸、又は少なくとも３個の炭素を含有する環状の酸が挙げられる。カルボン酸又はその塩の、直鎖若しくは環状炭素含有鎖は、ヒドロキシル基、エステル基、エーテル基、１〜６個の、より好ましくは１〜４個の炭素原子を有する脂肪族基、及びこれらの混合物からなる群から選択される置換基で、置換することができる。
【００９８】
好ましいカルボン酸は、サリチル酸、マレイン酸、アセチルサリチル酸、３−メチルサリチル酸、４−ヒドロキシイソフタル酸、ジヒドロキシフマル酸、１，２，４ベンゼントリカルボン酸、ペンタン酸、及びこれらの塩、並びにこれらの混合物からなる群から選択されるものである。カルボン酸が塩の形態で存在する場合、その塩のカチオンは、好ましくは、アルカリ金属、アルカリ土類金属、モノエタノールアミン、ジエタノールアミン、又はトリエタノールアミン、並びにこれらの混合物から選択される。
【００９９】
カルボン酸又はその塩は、存在する場合、好ましくは組成物全体の０．１重量％〜５重量％、より好ましくは０．２重量％〜１重量％、最も好ましくは０．２５重量％〜０．５重量％の濃度で存在する。
【０１００】
粘度
本発明の組成物は、好ましくは、２０ｓ-1及び２０℃において、５０〜４０００センチポアズ（５０〜４０００ｍＰａ．ｓ）、より好ましくは１００〜２０００センチポアズ（１００〜２０００ｍＰａ．ｓ）、最も好ましくは１５００〜１５００センチポアズ（５００〜１５００ｍＰａ．ｓ）の粘度を有する。本発明による粘度は、直径４０ｍｍ及び間隙サイズ５００μｍの平板の鋼製スピンドルを使用する、ＴＡ  ｉｎｓｔｒｕｍｅｎｔｓ製のＡＲ５５０レオメーターを使用して測定される。２０ｓ-1での高剪断粘度、及び０．０５ｓ-1での低剪断粘度は、２０℃において３分間の０．１ｓ-1〜２５ｓ-1の対数剪断速度掃引から得ることができる。本明細書に記載される好ましいレオロジーは、内部に存在する洗剤成分による構造化を使用して、又は外的レオロジー変性剤を用いることによって、達成することができる。それゆえ、本発明の好ましい実施形態において、組成物はレオロジー変性剤を更に含む。
【０１０１】
濁度（ＮＴＵ）測定
製造業者から提供された手順に従って調整されたＨａｃｈ  ２１００Ｐ濁度計を使用して、濁度（ＮＴＵ：Ｎｅｐｈｅｌｏｍｅｔｒｉｃ  Ｔｕｒｂｉｄｉｔｙ  Ｕｎｉｔｓ（比濁度計濁度単位）で測定）を測定した。取扱説明書に従ってサンプルバイアルに１５ｍＬの代表サンプルを充填し、蓋をし、洗浄する。必要な場合、真空を適用するか又は超音波浴を使用することによって、サンプルを脱気してあらゆる気泡を除去する（手順に関する説明書を参照のこと）。自動範囲選択により濁度を測定する。
【実施例】
【０１０２】
予め濡らしておいたポリウレタン材料のスポンジに４グラムの未希釈組成物を直接添加し、次いで、４ｇの消費者平均牛脂（ＣＡＢＦ）で汚れたプレートを洗浄するためにパネリストに使用させることにより、直接適用使用中の泡の寿命を参照洗剤に対して評価した。パネリストは、スポンジ上で泡が発生しなくなるまで、流水下で多数の汚れたプレートを洗った。洗ったプレートの数を記録し、参照組成物を用いたときと比較した。
【０１０３】
参照組成物は、本発明の分枝状エトキシル化アルコールを含まない。実施例１は、本発明に係る分枝状アルコキシル化アルコールを含有する。本発明の組成物は、界面活性剤（アルキルエトキシサルフェート及びアミンオキシド）の濃度が低いにもかかわらず、泡の寿命が著しく改善されることが分かった。
【０１０４】
【表１】
2013536281.tif 000006
*染料、乳白剤、香料、保存剤、加工助剤、安定化剤、溶媒等
【０１０５】
実施例２〜５の組成物は、本発明の更なる実施形態を例証する。
【０１０６】
【表２】
2013536281.tif 000007
【０１０７】
本明細書に開示した寸法及び値は、記載された正確な数値に厳密に限定されるものとして理解されるべきでない。むしろ、特に断らない限り、そのようなそれぞれの寸法は、記載された値及びその値周辺の機能的に同等の範囲の両方を意味するものとする。例えば、「４０ｍｍ」として開示された寸法は、「約４０ｍｍ」を意味することを意図する。
【国際調査報告】
2013536281.tif 000010
2013536281.tif 000011
2013536281.tif 000012